(57)【要約】【課題】簡単かつ精度良く防虫網を固定することができるサッシおよびサッシ構造体を提供すること。【解決手段】網部の各辺にテープ状補強材を取り付けた防虫網を固定するためのサッシであって、中空状で４辺を有するサッシ本体部であって、４辺のうちの少なくとも１つの辺における側面に、当該辺が延びる方向に延在して、防虫網の４辺のうちの少なくとも１辺のテープ状補強材を内包する溝を形成するサッシ本体部と、溝の入口部分に対向して溝を覆う対向位置と、対向しない非対向位置の間をスライド移動可能な状態でサッシ本体部に取り付けられたカバー部材とを備え、カバー部材は溝の入口部分に対向する対向位置にあるときに、サッシ本体部の辺との間に隙間を形成して防虫網の網部を配置可能としている。【選択図】図６Ａ
2019078058.tif 000002
【特許請求の範囲】
【請求項１】
網部の各辺にテープ状補強材を取り付けた防虫網を固定するためのサッシであって、
中空状で４辺を有するサッシ本体部であって、４辺のうちの少なくとも１つの辺における側面に、当該辺が延びる方向に延在して、防虫網の４辺のうちの少なくとも１辺のテープ状補強材を内包する溝を形成するサッシ本体部と、
溝の入口部分に対向して溝を覆う対向位置と、対向しない非対向位置の間をスライド移動可能な状態でサッシ本体部に取り付けられたカバー部材とを備え、
カバー部材は溝の入口部分に対向する対向位置にあるときに、サッシ本体部の辺との間に隙間を形成して防虫網の網部を配置可能とした、サッシ。
【請求項２】
サッシ本体部の溝を形成する溝形成部は、溝における第１の幅の隙間を形成する第１の部分と、第１の幅よりも狭い第２の幅の隙間を形成する第２の部分とを有し、第２の部分は第１の部分よりも溝の奥側に設けられる、請求項１に記載のサッシ。
【請求項３】
溝形成部は、第１の部分と第２の部分の間に、第１の幅から第２の幅まで幅が漸減する隙間を形成する第３の部分をさらに有する、請求項２に記載のサッシ。
【請求項４】
サッシ本体部は、溝の入口部分において防虫網の網部が延びる平面に延在する第１の側面と第２の側面とを有し、第１の側面は第２の側面よりもサッシ本体部の中心側に配置されて防虫網の網部を支持するように設けられ、
第１の側面は、溝が延在する方向に延びてカバー部材に対向する突起を有する、請求項１から３のいずれか１つに記載のサッシ。
【請求項５】
カバー部材は、サッシ本体部の溝に向かい合う側とは反対側の表面から突出した摘み部を備える、請求項１から４のいずれか１つに記載のサッシ。
【請求項６】
カバー部材は、溝に向かい合う側の表面から突出するとともに、溝よりもサッシ本体部の中心側から遠い位置に設けられたサッシ本体部の開口に挿通された係合部を有し、係合部は、カバー部材が対向位置にあるときには、サッシ本体部の開口を形成する壁部に係合して嵌合し、カバー部材が非対向位置にあるときにはサッシ本体部の開口を形成する壁部に嵌合しない位置に設けられる、請求項１から５のいずれか１つに記載のサッシ。
【請求項７】
カバー部材の位置を解除可能に固定するロック装置をさらに備える、請求項１から６のいずれか１つに記載のサッシ。
【請求項８】
ロック装置は、カバー部材の第１の貫通孔を介してサッシ本体部に挿通されるとともに溝が延在する方向に沿って移動可能な可動部と、カバー部材の第２の貫通孔を介してサッシ本体部に挿通されて固定されるとともに可動部を移動可能な状態で保持する保持部とを有し、
カバー部材の第１の貫通孔は、サッシ本体部の中心側から遠ざかる方向に延びてから、溝が延在する方向に沿って延びるＬ字状の形状を有する、請求項７に記載のサッシ。
【請求項９】
請求項１から８のいずれか１つに記載のサッシと、
サッシのサッシ本体部に形成される溝に内包されたテープ状補強材と、テープ状補強材を各辺に取り付けた網部とを備える防虫網と、を備える、サッシ構造体。
【発明の詳細な説明】
【技術分野】
【０００１】
本発明は、サッシおよびサッシに防虫網を配置して構成されるサッシ構造体に関する。
【背景技術】
【０００２】
従来より、サッシに防虫網を配置して構成されるサッシ構造体が提案されている（例えば、特許文献１）。
【０００３】
特許文献１で提案される構造においては、防虫網の各辺に取り付けたテープ状補強材を、サッシに設けた凹状の溝に入れた状態で、サッシとは別部材の入れ子枠によって溝内に向けて押圧することで、防虫網の固定を行う。
【先行技術文献】
【特許文献】
【０００４】
【特許文献１】特許第５０２７０４３号公報
【発明の概要】
【発明が解決しようとする課題】
【０００５】
しかしながら、昨今では、簡単かつ精度良く防虫網を固定できるようにすることが求められている。特許文献１のサッシでは、テープ状補強部材を溝に配置した状態で入れ子枠によって押圧する際に、入れ子枠の取扱いが容易ではなく、またテープ状補強材の位置ずれなどによって防虫網を精度良く固定できない場合がある。このように、簡単かつ精度良く防虫網を固定するという観点で未だ改善の余地があるといえる。
【０００６】
従って、本発明の目的は、前記問題を解決することにあって、簡単かつ精度良く防虫網を固定することができるサッシおよびサッシ構造体を提供することにある。
【課題を解決するための手段】
【０００７】
上記目的を達成するために、本発明は以下のように構成する。
【０００８】
本発明の一態様によれば、網部の各辺にテープ状補強材を取り付けた防虫網を固定するためのサッシであって、中空状で４辺を有するサッシ本体部であって、４辺のうちの少なくとも１つの辺における側面に、当該辺が延びる方向に延在して、防虫網の４辺のうちの少なくとも１辺のテープ状補強材を内包する溝を形成するサッシ本体部と、溝の入口部分に対向して溝を覆う対向位置と、対向しない非対向位置の間をスライド移動可能な状態でサッシ本体部に取り付けられたカバー部材とを備え、カバー部材は溝の入口部分に対向する対向位置にあるときに、サッシ本体部の辺との間に隙間を形成して防虫網の網部を配置可能とした、サッシを提供する。
【０００９】
本発明の別の一態様によれば、上記サッシと、サッシのサッシ本体部に形成される溝に内包されたテープ状補強材と、テープ状補強材を各辺に取り付けた網部とを備える防虫網と、を備える、サッシ構造体を提供する。
【発明の効果】
【００１０】
本発明のサッシおよびサッシ構造体によれば、簡単かつ精度良く防虫網を固定することができる。
【図面の簡単な説明】
【００１１】
【図１Ａ】防虫網の概略構成を示す斜視図
【図１Ｂ】防虫網の概略構成を示す側面図
【図２Ａ】防虫網が取り付けられるサッシの概略構成を示す斜視図
【図２Ｂ】防虫網が取り付けられるサッシの概略構成を示す側面図
【図３Ａ】サッシ構造体の概略構成を示す斜視図
【図３Ｂ】サッシ構造体の概略構成を示す側面図
【図４Ａ】防虫網をサッシに配置してサッシ構造体を構成する方法を説明するための概略図
【図４Ｂ】防虫網をサッシに配置してサッシ構造体を構成する方法を説明するための概略図
【図５Ａ】防虫網をサッシに配置してサッシ構造体を構成する方法を説明するための概略図
【図５Ｂ】防虫網をサッシに配置してサッシ構造体を構成する方法を説明するための概略図
【図６Ａ】防虫網をサッシに配置してサッシ構造体を構成する方法を説明するための概略図
【図６Ｂ】防虫網をサッシに配置してサッシ構造体を構成する方法を説明するための概略図
【図６Ｃ】防虫網をサッシに配置してサッシ構造体を構成する方法を説明するための概略図
【図７Ａ】ロック装置の周辺構成を示す概略斜視図
【図７Ｂ】ロック装置の分解平面図
【図７Ｃ】ロック装置の各構成部材および周辺部材の斜視図
【図８】カバー部材が非対向位置にあり、ロック装置による固定が行われていない状態を示す図
【図９】カバー部材が対向位置にあり、ロック装置による固定が行われていない状態を示す図
【図１０】カバー部材が対向位置にあり、ロック装置による固定が行われている状態を示す図
【発明を実施するための形態】
【００１２】
以下、本発明に係るサッシおよびそれを用いたサッシ構造体の例示的な実施形態について、添付の図面を参照しながら説明する。本発明は、以下の実施形態の具体的な構成に限定されるものではなく、同様の技術的思想に基づく構成が本発明に含まれる。
【００１３】
（実施の形態）
図１Ａ−図３Ｂを用いて、防虫網２、サッシ４、並びに防虫網２をサッシ４に取り付けて構成されるサッシ構造体６についてそれぞれ順に説明する。
【００１４】
図１Ａ、１Ｂはそれぞれ、防虫網２の概略構成を示す斜視図、側面図である。図２Ａ、２Ｂはそれぞれ、防虫網２および防虫網２が取り付けられるサッシ４の概略構成を示す斜視図、側面図である。図３Ａ、３Ｂはそれぞれ、防虫網２をサッシ４に取り付けたサッシ構造体６の概略構成を示す斜視図、側面図である。
【００１５】
図１Ａ、１Ｂに示す防虫網２は、網部８と、テープ状補強材１０とを備える。
【００１６】
網部８は、メッシュ状に編み込まれたシートである。本実施の形態の網部８は、４辺を有する略長方形状に構成される。網部８の具体例としては例えば、個々の隙間の大きさが１．４ｍｍ×１．４ｍｍの１８メッシュなどである。
【００１７】
テープ状補強材１０は、網部８の各辺に取り付けられたテープ状の部材である。テープ状補強材１０は、後述するサッシ４のカバー部材１４に保持される部分である。テープ状補強材１０は、防虫網２のコーナー部を除く端部を構成する。
【００１８】
テープ状補強材１０は、網部８よりも剛性の高い材料で形成されており、本実施の形態ではポリエステルである。ポリエステルはポリプロピレンなどと比較して、常温状態および常温から加熱された加熱状態でも変形しにくい性質を有する。
【００１９】
図１Ｂに示すように、テープ状補強材１０は、網部８の各辺を挟むように折り曲げられて網部８に取り付けられる。テープ状補強材１０は例えば高周波溶着によって網部８の各辺に固定される。
【００２０】
図１Ｂに示すように、網部８は厚みＴ１を有し、テープ状補強材１０は厚みＴ２を有する。厚みＴ２は厚みＴ１よりも大きい。網部８およびテープ状補強材１０に凹凸がある場合には、それぞれの平均的な厚みを厚みＴ１、Ｔ２としてもよい。
【００２１】
次に、図２Ａ、２Ｂに示すサッシ４は、防虫網２を保持および固定するための窓枠である。図２Ａ、２Ｂでは、防虫網２のテープ状補強材１０が網部８に対して略直角に折り曲げられた状態が示される。サッシ４は、住宅などの建造物に設けられた通風用の開口に固定されて使用される。使用時におけるサッシ４は鉛直方向に立つように固定される。
【００２２】
図２Ａ、２Ｂに示すサッシ４は、サッシ本体部１２と、カバー部材１４とを備える。
【００２３】
サッシ本体部１２は、サッシ４の本体部であって、建造物に設けられた通風用の開口に固定される部材である。図２Ａに示すサッシ本体部１２は中空状で４辺を有しており、中心部に開口１３を形成する。
【００２４】
サッシ本体部１２は、図２Ｂに示すように、溝形成部１６と、辺１８とを備える。
【００２５】
溝形成部１６は、サッシ本体部１２に溝Ｓを形成する部分である。溝形成部１６が形成する溝Ｓは、前述した防虫網２のテープ状補強材１０を配置するための凹部である。溝Ｓは図２Ａに示すように、後述する辺１８が延びるＦ方向に延在している。本実施の形態の溝形成部１６は、図２Ｂに示すように、第１の側壁１６Ａと、第２の側壁１６Ｂと、底壁１６Ｃとを備える。
【００２６】
第１の側壁１６Ａは、サッシ本体部１２の最も中心側に設けられた壁部であり、溝Ｓの一方側の側面を構成する。第２の側壁１６Ｂは、第１の側壁１６Ａに対向するように第１の側壁１６Ａよりもサッシ本体部１２の中心側から離れる外側に設けられた壁部である。第２の側壁１６Ｂは、溝Ｓのもう一方側の側面を構成する。底壁１６Ｃは、第１の側壁１６Ａと第２の側壁１６Ｂを接続する壁部であり、溝Ｓの底面を構成する。
【００２７】
第１の側壁１６Ａは、底壁１６Ｃから垂直に立ち上がっている。第２の側壁１６Ｂは、底壁１６Ｃから垂直に立ち上がるとともに、第１の側壁１６Ａに対する距離が長くなるように第１の側壁１６Ａから離れる方向に傾いて形成されている。
【００２８】
辺１８は、サッシ本体部１２に開口Ｈを形成する部分である。辺１８が形成する開口Ｈは、後述するカバー部材１４の係合部１４Ｃを配置するための開口である。本実施の形態の辺１８は、第１の側面１８Ａと、第２の側面１８Ｂとを備える。
【００２９】
第１の側面１８Ａおよび第２の側面１８Ｂはともに、サッシ本体部１２が取り付けられる防虫網２の網部８が延びる平面に延在する面である。第１の側面１８Ａと第２の側面１８Ｂの間に開口Ｈが形成される。
【００３０】
第１の側面１８Ａには突起１８Ｃが形成される。突起１８Ｃは、後述するカバー部材１４に接触してカバー部材１４のスライド移動を支持する部材である。第２の側面１８Ｂには突起が形成されておらず、平坦に形成されている。第２の側面１８ｂに対してカバー部材１４の裏面全体が接触する。
【００３１】
カバー部材１４は、溝Ｓを開閉するための部材である。カバー部材１４は、溝Ｓの入口部分に対向して溝を覆う対向位置と、対向しない非対向位置の間をスライド移動可能な状態でサッシ本体部１２に取り付けられている。図２Ｂでは、カバー部材１４が非対向位置にある場合が図示されている。
【００３２】
それぞれのカバー部材１４には、カバー部材１４の位置を解除可能に固定するロック装置２４（図２Ａ）が設けられている。ロック装置２４の構成については図７Ａ−１０を用いて説明し、図６までの説明においてはロック装置２４の説明を省略する。
【００３３】
本実施の形態のカバー部材１４は、図２Ｂに示すように、カバー部１４Ａと、摘み部１４Ｂと、係合部１４Ｃとを備える。
【００３４】
カバー部１４Ａは、溝Ｓを開閉可能に覆う部分であって、サッシ本体部１２の辺１８に沿ってスライド移動可能である（矢印Ａ参照）。
【００３５】
摘み部１４Ｂは、サッシ４を取扱うユーザが掴んでカバー部材１４を操作するための部分である。摘み部１４Ｂは、カバー部１４Ａの面から垂直に立ち上がる突起である。
【００３６】
係合部１４Ｃは、カバー部材１４が溝Ｓに対向する対向位置にあるときに、開口Ｈを形成する壁部である辺１８の第１の側面１８Ａに係合して嵌合する部分である。係合部１４Ｃは第１の側面１８Ａに嵌合するように、カバー部１４Ａの裏面から垂直に立ち上がるとともにサッシ本体部１２の中心側に近付く方向に折れ曲がっている。図２Ｂではカバー部材１４が非対向位置にあるため、係合部１４Ｃは第１の側面１８Ａから離れて嵌合していない。
【００３７】
上述したサッシ４のサッシ本体部１２に防虫網２を取り付けて構成されるサッシ構造体６について、図３Ａ、３Ｂを用いて説明する。
【００３８】
図３Ｂに示すように、サッシ構造体６においては、防虫網２のテープ状補強材１０が溝Ｓに配置されるとともに、溝Ｓの入口部分に対向する対向位置にカバー部材１４が配置されている。
【００３９】
このような構成によれば、網部８をサッシ本体部１２の中心側に向かって引っ張っても（矢印Ｂ参照）、テープ状補強材１０が溝Ｓから抜けないようにすることができる。詳細については後述する。また、図３Ｂではカバー部材１４が対向位置にある状態のため、係合部１４Ｃは第１の側面１８Ａに嵌合している。これにより、カバー部材１４の不要な動きを抑制することができる。
【００４０】
上述した防虫網２をサッシ４に取り付ける方法について、図４Ａ−図６Ｃを用いて説明する。
【００４１】
まず、防虫網２とサッシ本体部１２を準備する（ステップＳ１）。具体的には、図４Ａ、４Ｂに示すように、前述した構成を有する防虫網２とサッシ本体部１２をそれぞれ準備する。図４Ａ、４Ｂでは、防虫網２の４辺のうちの１つの辺に取り付けられたテープ状補強材１０と、それに対応するサッシ本体部１２の１つの辺１８を例示する。図４Ａ、４Ｂに示す例では、サッシ本体部１２の辺１８が鉛直平面に延在するとともに、カバー部材１４のスライド移動方向であるＡ方向が鉛直方向である状態が図示される。
【００４２】
図４Ａ、４Ｂに示す状態では、カバー部材１４のカバー部１４Ａは溝Ｓの入口部分に対向しない非対向位置に配置されている。これにより、防虫網２のテープ状補強材１０を溝Ｓに挿入可能である。
【００４３】
次に、防虫網２のテープ状補強材１０をカバー部材１４の溝Ｓに挿入する（ステップＳ２）。具体的には、図４Ａ、４Ｂに示すように、テープ状補強材１０を網部８に対して垂直に折り曲げた状態で、溝Ｓに向かって水平方向に移動させる（矢印Ｃ）。これにより、図５Ａ、５Ｂに示すように、テープ状補強材１０が溝Ｓに配置される。
【００４４】
図５Ｂの拡大図に示すように、溝形成部１６が形成する溝Ｓは入口側よりも奥側の方が幅が狭くなっている。具体的には、溝Ｓの入口側の第１の幅Ｄ１よりも溝Ｓの奥側の第２の幅Ｄ２の方が小さく設定される。第１の幅Ｄ１は溝形成部１６の第１の部分２０Ａが形成し、第２の幅Ｄ２は溝形成部１６の第２の部分２０Ｂが形成する。第１の部分２０Ａと第２の部分２０Ｂの間にある第３の部分２０Ｃは、入口側から奥側に向かって第１の幅Ｄ１から第２の幅Ｄ２まで漸減する第３の幅Ｄ３を形成する。
【００４５】
このような構成によれば、溝Ｓの入口側の第１の幅Ｄ１が大きいために、テープ状補強材１０を溝Ｓに容易に挿入することができる。一方で、溝Ｓの奥側の第２の幅Ｄ２は小さいために、奥まで配置されたテープ状補強材１０の位置ずれを小さく制限することができる。このようにして、テープ状補強材１０を溝Ｓ内でより精度良く保持することができる。
【００４６】
次に、カバー部材１４によりテープ状補強材１０のカバーを行う（ステップＳ３）。具体的には、図５Ａ、５Ｂに示す摘み部１４Ｂをユーザが掴むとともにカバー部材１４をＡ１方向に一体的にスライド移動させる。これにより、図６Ａ、６Ｂに示すように、カバー部材１４が溝Ｓの入口部分に対向する対向位置に配置される。
【００４７】
カバー部材１４を対向位置に配置することで、テープ状補強材１０が溝Ｓ内に閉じ込められる。このとき、図６Ｂに示すように、カバー部材１４と溝形成部１６の間にはわずかな隙間２２が形成される。隙間２２によって、防虫網２の網部８を配置可能としている。
【００４８】
図６Ｂに示す状態から防虫網２の網部８をＢ方向に引っ張った状態を図６Ｃに示す。図６Ｃに示すように、網部８をサッシ本体部１２の中心側に向かって引くように外力がかかったとしても、テープ状補強材１０における溝Ｓの入口部分に近い側の一端が、カバー部材１４のカバー部１４Ａの裏面に引っ掛かり、係止される。このとき、カバー部１４Ａの裏面に係合している先端を始点として、テープ状補強材１０は外側に向かって開くように回転する（矢印Ｒ）。溝Ｓの奥側は幅が狭くなっており、テープ状補強材１０の他端はわずかに回転した状態で溝形成部１６の第２の側壁１６Ｂに接触する。テープ状補強材１０の他端がさらにＲ方向に回転しようとしても、第２の側壁１６Ｂによって回転が規制される。このようにしてテープ状補強材１０が溝Ｓ内に固定される。
【００４９】
このような固定構造によれば、溝Ｓに押さえゴム又は入れ子枠などを入れてテープ状補強材１０を固定する必要がなく、簡易な方法により防虫網２を固定することができる。
【００５０】
さらに図６Ｂ、６Ｃに示すように、カバー部材１４の係合部１４Ｃは、辺１８の第１の側面１８Ａに係合して嵌合している。これにより、溝Ｓ内のテープ状補強材１０を封止した状態にあるカバー部材１４の不必要な移動を制限することができ、溝Ｓ内にテープ状補強材１０を精度良く保持することができる。
【００５１】
上述したように、本実施の形態のサッシ４は、網部８の各辺にテープ状補強材１０を取り付けた防虫網２を固定するためのサッシである。サッシ４は、サッシ本体部１２と、カバー部材１４とを備える。サッシ本体部１２は、中空状で４辺を有するサッシ本体部であって、４辺のうちの少なくとも１つの辺１８における側面に溝Ｓを形成する。溝Ｓは、当該辺１８が延びるＦ方向に延在して、防虫網２の４辺のうちの少なくとも１辺のテープ状補強材１０を内包する。カバー部材１４は、溝Ｓの入口部分に対向して溝Ｓを覆う対向位置と、対向しない非対向位置の間をスライド移動可能な状態でサッシ本体部１２に取り付けられている。さらにカバー部材１４は、溝Ｓの入口部分に対向する対向位置にあるときに、サッシ本体部１２の辺１８との間に隙間２２を形成して防虫網２の網部８を配置可能としている。
【００５２】
このような構成によれば、溝Ｓにテープ状補強材１０を配置してから、溝Ｓの入口部分を閉じるようにカバー部材１４をスライド移動させることで、溝Ｓ内にテープ状補強材１０を封止して保持しながら、網部８を隙間２２に配置可能とすることができる。これにより、簡単かつ精度良く防虫網２をサッシ４に固定することができる。
【００５３】
また本実施の形態のサッシ４によれば、サッシ本体部１２の溝Ｓを形成する溝形成部１６は、第１の部分２０Ａと、第１の部分２０Ａよりも溝Ｓの奥側に設けられた第２の部分２０Ｂとを有する。第１の部分２０Ａは、溝Ｓにおける第１の幅Ｄ１の隙間を形成し、第２の部分２０Ｂは、第１の幅Ｄ１よりも狭い第２の幅Ｄ２の隙間を形成する。このような構成によれば、第１の幅Ｄ１を第２の幅Ｄ２よりも大きくすることで、防虫網２のテープ状補強材１０を溝Ｓに挿入しやすくしながら、溝Ｓの奥側ではテープ状補強材１０の移動を抑制することができる。これにより、溝Ｓに配置した防虫網２をより精度良く固定することができる。
【００５４】
また本実施の形態のサッシ４によれば、溝形成部１６は、第１の部分２０Ａと第２の部分２０Ｂの間に第３の部分２０Ｃをさらに有する。第３の部分２０Ｃは、第１の幅Ｄ１から第２の幅Ｄ２まで幅が漸減する隙間を形成する。このような構成によれば、防虫網２のテープ状補強材１０を溝Ｓに挿入する際により挿入しやすくすることができる。
【００５５】
また本実施の形態のサッシ４によれば、サッシ本体部１２は、溝Ｓの入口部分において防虫網２の網部８が延びる平面に延在する第１の側面１８Ａと第２の側面１８Ｂとを有する。第１の側面１８Ａは、第２の側面１８Ｂよりもサッシ本体部１２の中心側に配置されて、防虫網２の網部８を支持するように設けられている。第１の側面１８Ａは、溝Ｓが延在するＦ方向に延びてカバー部材１４に対向する突起１８Ｃを有する。このような構成によれば、第１の側面１８Ａ全体がカバー部材１４に当たる場合と比べて、カバー部材１４との接触面積が減るため、カバー部材１４を支持しながらも、カバー部材１４のスライド移動をよりスムーズに行うことができる。
【００５６】
また本実施の形態のサッシ４によれば、カバー部材１４は、サッシ本体部１２の溝Ｓに向かい合う側とは反対側の表面から突出した摘み部１４Ｂを備える。このような構成によれば、ユーザが摘み部１４Ｂを掴んでカバー部材１４をスライド移動させることで、カバー部材１４を簡単にスライド移動させることができる。
【００５７】
また本実施の形態のサッシ４によれば、カバー部材１４は係合部１４Ｃを有する。係合部１４Ｃは、溝Ｓに向かい合う側の表面から突出するとともに、溝Ｓよりもサッシ本体部１２の中心側から遠い位置に設けられたサッシ本体部１２の開口Ｈに挿通されている。係合部１４Ｃは、カバー部材１４が対向位置にあるときには、サッシ本体部１２の開口Ｈを形成する壁部（第１の側面１８Ａ）に係合して嵌合する。また、カバー部材１４が非対向位置にあるときには、係合部１４Ｃは第１の側面１８Ａに嵌合しない位置に設けられる。このような係合部１４Ｃを設けることで、カバー部材１４が溝Ｓに対向する対向位置にあるときにはサッシ本体部１２と嵌合して、カバー部材１４の移動を抑制することができる。このため、溝Ｓに配置したテープ状補強材１０をカバー部材１４によってより精度良く固定することができる。
【００５８】
次に、図２Ａなどに示したカバー部材１４のロック装置２４について、図７Ａ―７Ｃ、８−１０を用いて説明する。
【００５９】
図７Ａは、ロック装置２４の周辺構成を示す概略斜視図であり、図７Ｂは、ロック装置２４の分解平面図である。図７Ｃは、ロック装置２４の各構成部材および周辺部材の斜視図である。図７Ｃにおいて、（ａ）は辺１８の斜視図であり、（ｂ）はカバー部材１４の斜視図であり、（ｃ１）、（ｃ２）は異なる角度から見た可動部２６の斜視図であり、（ｄ１）、（ｄ２）は異なる角度から見た保持部２８の斜視図である。図７Ａ―７Ｃに示すように、ロック装置２４は、可動部２６と、保持部２８とを備える。
【００６０】
図７Ｂ、７Ｃに示すように、辺１８の第２の側面１８Ｂには２つの貫通孔３０Ａ、３０Ｂが形成されている。貫通孔３０Ａ、３０Ｂは、後述する保持部２８を固定するための穴である。貫通孔３０Ａ、３０Ｂには、保持部２８の突起４４Ａ、４４Ｂが挿通されて嵌合する。
【００６１】
カバー部材１４にも同様に、２つの貫通孔３２Ａ、３２Ｂが形成されている。貫通孔３２Ａ、３２Ｂは、前述した保持部２８の突起４４Ａ、４４Ｂを挿通するための開口である。貫通孔３０Ａ、３０Ｂが突起４４Ａ、４４Ｂと略同じ径の大きさの円形状であるのに対して、貫通孔３２Ａ、３２Ｂは、摘み部１４Ｂが延在するＦ方向に長い矩形状に形成される。このような形状によれば、貫通孔３２Ａ、３２Ｂを介して突起４４Ａ、４４Ｂを貫通孔３０Ａ、３０Ｂに差し込んだ状態において、保持部２８と辺１８の間隔を所定間隔空けた状態とし、カバー部材１４が保持部２８と辺１８の間でＡ方向にスライド移動可能となる。
【００６２】
カバー部材１４にはさらに、貫通孔３２Ａ、３２Ｂとは別の貫通孔３４が形成されている。貫通孔３４は、後述する可動部２６の突起４０が挿通される孔である。貫通孔３４の形状によって可動部２６の移動方向が制限される。
【００６３】
本実施の形態の貫通孔３４は、サッシ本体部１２の中心側から遠ざかる方向に延びてから（矢印Ｄ）、摘み部１４Ｂが延在するＦ方向に沿って延びる（矢印Ｅ）。貫通孔３４は平面視でこのようなＬ字の形状を有する。
【００６４】
可動部２６は、カバー部材１４と保持部２８の間でスライド移動可能に保持される部材である。可動部２６は、操作部３６と、本体部３８と、突起４０とを備える。
【００６５】
操作部３６は、後述する保持部２８の貫通孔４２を介して外側に露出する部分である。ユーザが操作部３６を掴んで操作することにより、可動部２６をＦ方向にスライド移動させることができる。本体部３８は、カバー部材１４と保持部２８の間に配置される部材である。突起４０は、本体部３８から操作部３６が形成される側とは逆側に突出した棒状の突起である。突起４０は前述したように、カバー部１４ＡのＬ字状の貫通孔３４に移動可能な状態で挿通される。
【００６６】
保持部２８は、可動部２６をスライド移動可能な状態で保持するための部材である。保持部２８には前述した貫通孔４２が形成されるとともに、２つの突起４４Ａ、４４Ｂが形成されている。
【００６７】
上述した構成を有するロック装置２４を用いて、カバー部材１４のスライド位置を固定する方法について、図８−１０を用いて説明する。
【００６８】
図８は、カバー部材１４が非対向位置にあり、ロック装置２４による固定が行われていない状態を示す。図９は、カバー部材１４が対向位置にあり、ロック装置２４による固定が行われていない状態を示す。図１０は、カバー部材１４が対向位置にあり、ロック装置２４による固定が行われている状態を示す。図８−図１０において、（ａ）、（ｂ）、（ｃ）はそれぞれ、ロック装置２４の周辺構成を示す斜視図、平面図、断面図である。
【００６９】
図８に示す状態では、カバー部材１４は溝Ｓに対向しない非対向位置にあるとともに、可動部２６の突起４０は、Ｌ字状の貫通孔３４における第１の位置Ｘ１に配置されている。このとき、可動部２６を移動させない状態で、可動部２６と辺１８の間に配置されたカバー部材１４を、溝Ｓを閉じるＡ１方向に移動させることができる。
【００７０】
カバー部材１４をＡ１方向に移動させた後の状態を図９に示す。図９に示す状態では、カバー部材１４は溝Ｓに対向する対向位置にあるとともに、可動部２６の突起４０は、Ｌ字状の貫通孔３４における第２の位置Ｘ２に配置されている。このとき、カバー部材１４を移動させない状態で、可動部２６をＦ１方向に移動することができる。
【００７１】
可動部２６をＦ１方向に移動させた後の状態を図１０に示す。図１０に示す状態では、カバー部材１４は溝Ｓに対向する対向位置にあるとともに、可動部２６の突起４０は、Ｌ字状の貫通孔３４における第３の位置Ｘ３に配置されている。このとき、可動部２６の突起４０が第３の位置Ｘ３にあるため、貫通孔３４を形成しているカバー部材１４は、可動部２６の突起４０によってＡ方向への移動が規制される。これより、カバー部材１４の位置が対向位置に固定されるため、カバー部材１４による防虫網２のテープ状補強部材１０の保持を精度良く行うことができる。
【００７２】
図１０に示す状態からロック装置２４による固定を解除するには、図９に示す状態となるようにＦ１方向とは逆方向に可動部２６を移動させればよい。図９に示す状態では、可動部２６の突起４０が第２の位置Ｘ２にあるため、カバー部材１４をＡ１方向とは逆方向に移動させることができる。
【００７３】
このようにして、ロック装置２４によってカバー部材１４の位置を解除可能に固定することができる。
【００７４】
以上、上述の実施の形態を挙げて本発明を説明したが、本発明は上述の実施の形態に限定されない。例えば、実施の形態では、サッシ本体部１２に形成される溝Ｓの幅が入口側よりも奥側の方が狭くなる場合について説明したが、このような場合に限らない。テープ状補強材１０を収容可能であれば、任意の幅を有する溝であってもよい。ただし、溝Ｓの幅が入口側よりも奥側の方が狭くなるように構成した方が、テープ状補強材１０を溝Ｓに挿入しやすくしながら、溝Ｓに配置したテープ状補強材１０の位置ずれを抑制することができる。
【００７５】
また実施の形態では、溝形成部１６の第３の部分２０Ｃを設け、第１の幅Ｄ１から第２の幅Ｄ２まで幅が漸減する隙間を形成する場合について説明したが、このような場合に限らない。第３の部分２０Ｃを設けずに、溝Ｓの幅が階段状に変化するように構成してもよい。なお、前述したような第３の部分２０Ｃを設けた方が、テープ状補強材１０を溝Ｓの奥までスムーズに挿入することができる。
【００７６】
また実施の形態では、サッシ本体部１２の第１の側面１８Ａに突起１８Ｃを設ける場合について説明したが、このような場合に限らず、突起１８Ｃを設けない場合であってもよい。ただし、突起１８Ｃを設けた方が、第１の側面１８Ａとカバー部材１４がわずかに接触しながら、第１の側面１８Ａによってカバー部材１４のスライド移動を支持することができる。このようにして、カバー部材１４のスライド移動をよりスムーズに行うことができる。
【００７７】
また実施の形態では、カバー部材１４に摘み部１４Ｂを設ける場合について説明したが、このような場合に限らず、摘み部１４Ｂを設けない場合であってもよい。ただし、摘み部１４Ｂを設けた方が、ユーザがカバー部材１４を簡単にスライド移動させることができ、操作性を向上させることができる。
【００７８】
また実施の形態では、カバー部材１４に係合部１４Ｃを設ける場合について説明したが、このような場合に限らず、係合部１４Ｃを設けない場合であってもよい。ただし、係合部１４Ｃを設けた方が、カバー部材１４が溝Ｓに対向したときにサッシ本体部１２と嵌合してカバー部材１４の移動を規制することができ、溝Ｓに配置したテープ状補強材１０をより精度良く固定することができる。
【００７９】
また実施の形態では、カバー部材１４の位置を解除可能に固定するロック装置２４を設ける場合について説明したが、このような場合に限らず、ロック装置２４を設けない場合であってもよい。ただし、ロック装置２４を設けた方が、カバー部材１４による防虫網２の保持をより精度良く行うことができ、利便性を向上させることができる。
【００８０】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲および思想を逸脱することなく実現し得るものである。
【００８１】
なお、前記様々な実施の形態および変形例のうちの任意の実施の形態あるいは変形例を適宜組み合わせることにより、それぞれの有する効果を奏するようにすることができる。
【産業上の利用可能性】
【００８２】
本発明は、サッシおよびサッシに防虫網を配置して構成されるサッシ構造体であれば適用可能である。
【符号の説明】
【００８３】
２  防虫網
４  サッシ
６  サッシ構造体
８  網部
１０  テープ状補強材
１２  サッシ本体部
１４  カバー部材
１４Ａ  カバー部
１４Ｂ  摘み部
１４Ｃ  係合部
１６  溝形成部
１８  辺
１８Ａ  第１の側面
１８Ｂ  第２の側面
２０Ａ  第１の部分
２０Ｂ  第２の部分
２０Ｃ  第３の部分
２２  隙間
２４  ロック装置
２６  可動部
２８  保持部
３０Ａ、３０Ｂ  貫通孔
３２Ａ、３２Ｂ  貫通孔
３４  貫通孔
３６  操作部
３８  本体部
４０  突起
４２  貫通孔
４４Ａ、４４Ｂ  突起
Ｄ１  第１の幅
Ｄ２  第２の幅
Ｄ３  第３の幅
Ｓ  溝
Ｔ１、Ｔ２  厚み
Ｘ１  第１の位置
Ｘ２  第２の位置
Ｘ３  第３の位置
【図１Ａ】
2019078058.tif 000003
【図１Ｂ】
2019078058.tif 000004
【図２Ａ】
2019078058.tif 000005
【図２Ｂ】
2019078058.tif 000006
【図３Ａ】
2019078058.tif 000007
【図３Ｂ】
2019078058.tif 000008
【図４Ａ】
2019078058.tif 000009
【図４Ｂ】
2019078058.tif 000010
【図５Ａ】
2019078058.tif 000011
【図５Ｂ】
2019078058.tif 000012
【図６Ａ】
2019078058.tif 000013
【図６Ｂ】
2019078058.tif 000014
【図６Ｃ】
2019078058.tif 000015
【図７Ａ】
2019078058.tif 000016
【図７Ｂ】
2019078058.tif 000017
【図７Ｃ】
2019078058.tif 000018
【図８】
2019078058.tif 000019
【図９】
2019078058.tif 000020
【図１０】
2019078058.tif 000021